【事件の表示】
　特許第３１７１４６８号「光学ユニット」の請求項１、２に係る特許に対する特許異議の申立てについて、次のとおり決定する。
【結　論】
　訂正を認める。
　特許第３１７１４６８号の請求項１ないし２に係る特許を取り消す。
【理　由】
１．手続の経緯
　本件特許第３１７１４６８号発明は、平成３年１１月２８日に特許出願されたものであって、平成１３年３月２３日にその特許の設定登録がなされ、その後、特許異議申立人キャノン株式会社より請求項１ないし２に対して特許異議の申立がなされ、取消理由通知がなされ、その指定期間内である平成１４年５月２８日に訂正請求がなされたものである。
　
２．訂正の適否についての判断
２．１　訂正事項
(1）訂正事項ａ
　特許請求の範囲の請求項１の記載
「【請求項１】　暗箱内に光線を走査させるための回転鏡を設けた光学ユニットにおいて、上記暗箱内に設けた補強用リブの一部分が、上記回転鏡の反射光を印字保証領域外で遮断する遮光壁に兼用されることを特徴とする光学ユニット。」を
「【請求項１】　暗箱内に光線を走査させるための回転鏡を設けた光学ユニットにおいて、上記暗箱内に該暗箱の底面から立ち上げられた補強用リブの一部分が、上記回転鏡の反射光に基づく印字保証領域外から印字保証領域内に入射する迷光を遮断する遮光壁に兼用されることを特徴とする光学ユニット。」と訂正する。
(2）訂正事項ｂ
　特許請求の範囲の請求項２の記載
「【請求項２】　暗箱内に光線を走査させるための回転鏡及び、該回転鏡の反射光が透過するｆθレンズを設けた光学ユニットにおいて、上記ｆθレンズの両側部から上記暗箱の両側壁に延びるリブを設け、このリブが上記回転鏡の反射光を印字保証領域外で遮断する遮光壁に兼用されることを特徴とする光学ユニット。」を
「【請求項２】　暗箱内に光線を走査させるための回転鏡及び、該回転鏡の反射光が透過するｆθレンズを設けた光学ユニットにおいて、上記ｆθレンズの両側部から上記暗箱の両側壁に延び、且つ該暗箱の底面から立ち上げられた補強用リブを設け、このリブが上記回転鏡の反射光を印字保証領域外で遮断する遮光壁に兼用されることを特徴とする光学ユニット。」と訂正する。
(3）訂正事項ｃ
　特許明細書の段落【００１１】の記載
「【課題を解決するための手段】
　本発明は、例えば図１に示すように、暗箱１内に光線を走査させるための回転鏡２を設けた光学ユニットにおいて、上記の目的を達成するため、暗箱１内に回転鏡２の反射光を印字保証領域外で遮断する遮光壁３を設けたことを特徴とする。」を、
「【課題を解決するための手段】
　本発明は、例えば図１に示すように、暗箱内に光線を走査させるための回転鏡を設けた光学ユニットにおいて、暗箱内に該暗箱の底面から立ち上げられた補強用リブの一部分が、上記回転鏡の反射光に基づく印字保証領域外から印字保証領域内に入射する迷光を遮断する遮光壁に兼用されることを特徴とする。また、暗箱内に光線を走査させるための回転鏡を設けた光学ユニットにおいて、上記の目的を達成するため、ｆθレンズの両側部から上記暗箱の両側壁に延び、且つ該暗箱の底面から立ち上げられた補強用リブを設け、このリブが上記回転鏡の反射光を印字保証領域外で遮断する遮光壁を兼用することを特徴とする。」と訂正する。
(4）訂正事項ｄ
　特許明細書の段落【００１２】の記載
「【作　用】
　上記のように、前の印字領域が終了してから一定時間内を経過すると発光素子が発光して回転鏡２に光線が入射され、回転鏡２から反射光が出射される。この反射光を遮光壁３で遮断することにより、反射光が暗箱１内で不測の経路を経て感光体に入射することが防止される。」を
「【作　用】
　上記のように、前の印字領域が終了してから一定時間内を経過すると発光素子が発光して回転鏡２に光線が入射され、回転鏡２から反射光が出射される。この反射光を暗箱の底面から立ち上げられた補強用リブの一部分が、上記回転鏡の反射光を印字保証領域外で遮断する遮光壁３により、反射光が暗箱１内で不測の経路を経て感光体に入射することが防止される。」と訂正する。
(5）訂正事項ｅ
　特許明細書の段落【００１８】の記載
「また、暗箱１内には、印字保証領域Ａよりも早くタイミングでポリゴンミラー２の反射光が通過する位置にビーム検出ミラー１１が設けられ、また、ポリゴンミラー２から入射してこのビーム検出ミラー１１で反射されたレーザ光線を検出するセンサ１２が設けられる。」を
「また、暗箱１内には、印字保証領域Ａよりも早いタイミングでポリゴンミラー２の反射光が通過する位置にビーム検出ミラー１１が設けられ、また、ポリゴンミラー２から入射してこのビーム検出ミラー１１で反射されたレーザ光線を検出するセンサ１２が設けられる。」と訂正する。
　
２．２　訂正の目的の適否、新規事項の有無及び拡張・変更の存否
　訂正事項ａは、請求項１における「暗箱内に設けた補強用リブ」の記載を「暗箱内に該暗箱の底面から立ち上げられた補強用リブ」と訂正することによって、「補強用リブ」の構成を限定すると共に、「回転鏡の反射光を印字保証領域外で遮断する遮光壁」の記載を「回転鏡の反射光に基づく印字保証領域外から印字保証領域内に入射する迷光を遮断する遮光壁」と訂正することによって、「遮光壁」の構成を限定するものであるから、特許法第１２０条の４第２項但し書き第１号に規定する特許請求の範囲の減縮を目的とするものである。
　訂正事項ｂは、請求項２における「暗箱の両側壁に延びるリブ」の記載を「暗箱の両側壁に延び、且つ該暗箱の底面から立ち上げられた補強用リブ」と訂正するものであって、「暗箱の両側壁に延びるリブ」の構成をさらに限定するものであるから、特許法第１２０条の４第２項但し書き第１号に規定する特許請求の範囲の減縮を目的とするものである。
　訂正事項ｃないしｄは、訂正された特許請求の範囲の記載に対応するように、特許明細書の記載を訂正するものであり、特許法第１２０条の４第２項但し書き第３号に規定する明りょうでない記載の釈明を目的とするものである。
　訂正事項ｅは、段落【００１８】に記載中の「早くタイミング」を誤記の訂正を目的として「早いタイミング」と訂正するものである。
　また、前記訂正事項ａないしｄは、特許明細書の段落【００１９】および【００２３】に記載された内容をその根拠とするものであって、訂正事項ｅは明らかな誤記の訂正であるから、訂正事項ａないしｅは、いずれも特許明細書の記載事項の範囲内の訂正であり、新規事項の追加に該当せず、実質的に特許請求の範囲を拡張しまたは変更するものではない。
　
２．３　むすび
　以上のとおりであるから、前記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立についての判断
３．１　本件発明
　本件請求項１ないし２に係る発明は、訂正明細書の特許請求の範囲の請求項１ないし２に記載されたとおりのものである。
「２．１　訂正事項ａおよびｂ」参照
　
３．２　引用刊行物の記載事項
　先の取消理由通知において引用した刊行物１（特開平３−１７１１６８号公報：甲第１号証）、刊行物２（特開昭６３−３０７４２０号公報：甲第２号証）、刊行物３（実願昭６３−７９０１６号（実開平１−１８１０２０号）のマイクロフィルム：甲第３号証）および刊行物４（実願昭６２−１１３６５３号（実開昭６４−１９９１４号）のマイクロフィルム：甲第４号証）には、それぞれ以下の事項が記載されている。
　
刊行物１：特開平３−１７１１６８号公報
(1-ａ）「本発明の課題は、ケースに形成されたレーザビーム出射用スリット部分の剛性を高め、光源部から偏向器までの光路を確実に遮光でき、スリットからの空気吸い込み量の少ないレーザビーム走査光学装置を提供することにある。」（第２頁左上欄第１６〜２０行）、
(1-ｂ）「第１図は一実施例である光学ユニット(20）を備えたレーザプリンタの概略構成を示す。プリンタ本体の略中央部には感光体ドラム(1）が矢印(a）方向に回転駆動可能に設置され、その周囲には帯電チャージャ(2）、磁気ブラシ方式による現像器(3）、転写チャージャ(4）、ブレード方式による残留トナーのクリーナ(5）及び残留電荷のイレーサランプ(6）が設置されている。これらの作像エレメントの構成、作用は周知であり、その詳細は省略する。一方、用紙は自動給紙カセット(10)に収容されており、給紙ローラ(11）の回転に基づいて最上層から１枚ずつ第１図中左方へ給紙される。給紙された用紙はタイミングローラ対(12）で一旦止められ、所定のタイミングで感光体ドラム(1）と転写チャージャ(4）との間に搬送され、以下に詳述する光学ユニット(20）にて潜像として形成され現像器(3）でトナーにて可視像化された画像を転写される。その後、用紙は定着器(13）でトナーの熱定着を施され、通路(14）を通じて排出ローラ対(15）から本体上面のトレイ(16）上へ排出される。定着器(13）はヒータを内蔵したローラを備え、定着温度は通常１５０゜Ｃを越える。従って、本プリンタでは、機内を断熱板(17）で仕切ると共に、ファン(18）で機内の加熱空気を外部に排出して機内の温度上昇を極力防止し、特に光学ユニット(20）を温度上昇から保護している。なお、この点に関しては以下に詳述する。」（第２頁右上欄第１８行〜右下欄第５行）、
(1-ｃ）「光学ユニット(20）は、第２図、第３図に示すように、半導体レーザ(22）及びコリメータレンズ(23）を組み込んだ光源アッセンブリ(21）と、シリンドリカルレンズ(31）を組み込んだシリンドリカルレンズ部(30）と、ポリゴンミラー(40）と、トロイダルレンズ(45）、ハーフミラー(50）、球面ミラー(55）と、第１折り返しミラー(60）、第２折り返しミラー(61）と、画像書き出し位置を検出するためのレーザビーム受光センサ(70）（以下、ＳＯＳセンサと記す）及びセンサ(70）の直前に設置したシリンドリカルレンズ(71）とで構成されている。以上の部品は、樹脂成型品であるユニットケース(80）に収容されている。」（第２頁右下欄第６〜１８行）、
(1-ｄ）「次に、ユニットケース(80）の構造について説明する。第２図、第４図において、ユニットケース(80）はＰＣ系樹脂にて一体的に成形したもので、各光学素子の取付け部を有すると共に、プリンタ本体への固定部(90ａ）、(90ｂ）、(90ｃ）を有している。レーザビーム用出射用スリット(89）は基板部(81）の略中央部に形成され、光源アッセンブリ(21）、シリンドリカルレンズ部(30）、ポリゴンミラー(40）はスリット(89）に沿って配置されている。スリット(89）の縁部には光源アッセンブリ(21）からシリンドリカルレンズ部(30）にわたってリブ(89a）が形成され、このリブ(89a）は両端で側壁部(80b）及びシリンドリカルレンズ取付け台座(82）と連続している。この近傍の剛性を補強すると共に光源アッセンブリ(21）、シリンドリカルレンズ部(30）を外部から遮断する機能を有している。この遮断機能によって、光源アッセンブリ(21）から放射されたエネルギー密度の高いレーザビームがスリット(89）から外部に漏れることを防止される。」（第３頁右下欄第４行〜第４頁左上欄第３行）が、それぞれ図面と共に記載されている。
　よって、これらの記載から刊行物１には、
「樹脂成型品であるユニットケースに光線を走査させるためのポリゴンミラーを設けた光学ユニットにおいて、上記ユニットケース内に該ユニットケースの基板部から立ち上げられた補強用リブの一部が、光源アッセンブリから放射されたレーザビームを遮断する遮光壁に兼用される光学ユニット。」が記載されているものと認められる。
　
刊行物２（特開昭６３−３０７４２０号公報）には、
(2-ａ）「被走査体に対するフレア光の影響を効果的に抑制し、画像等の読み取りあるいは記録を高精度に行うことのできる光ビーム走査装置を提供することを目的とする。」（第３頁右上欄第３〜６行）、
(2-ｂ）「第２図において、参照符号30は本実施態様に係る光ビーム走査装置の本体部を構成する走査光学系を示す。この場合、走査光学系30は光ビームＬを出力するレーザ発振管32と、高速揺動することで前記光ビームＬを矢印Ｂ方向に偏向走査させるガルバノメータミラー34と、偏向された前記光ビームＬを蓄積性蛍光体シートＳ上において等速直線運動走査に変換する走査レンズユニット36とから基本的に構成される。」（第３右上欄第２０行〜左下欄第８行）、
(2-ｃ）「レンズ38ａ乃至38ｃの両側部には一対の遮光部材42ａおよび42ｂが配設される。これらの遮光部材42ａ、42ｂはレンズ38ａ乃至38ｃの光軸46に指向して突出する突片48ａ、48ｂを有し、固定ネジ50により基台40の上面部に固着される。」（第３頁左下欄第１６〜２０行）、
(2-ｄ）「ここで、ガルバノメータミラー34による光ビームＬの有効走査角度αはレンズ38ｂと38ｃとの間に臨入する突片48ａ、48ｂにより規制される。」（第４頁左上欄第４〜７行）が、それぞれ図面と共に記載されている。
　これらの記載から、刊行物２には「光ビーム走査により記録を行うガルバノメータミラー34を設けた光ビーム走査装置において、ガルバノメータミラー34による光ビームＬの有効走査角度αを規制する突片48ａ、48ｂを備えた遮光部材42ａ、42ｂを有する光ビーム走査装置」が記載されているものと認められ、さらにそのことから、「光ビームＬの有効走査角度α以外の光を遮光壁によって遮断する」ことが把握される。
　
刊行物３（実願昭６３−７９０１６号（実開平１−１８１０２０号）のマイクロフィルム）には、
(3-ａ）「本考案は、レーザプリンタ、およびファクシミリなどで用いられる印刷装置などで好適に実施される走査光学装置に関する。」（明細書第１頁第１６〜１８行）、
(3-ｂ）「第１図は、本考案の一実施例の走査光学装置５１を用いたレーザプリンタの基本的な構成を示す縦断面図であり、第２図はその平面図である。走査光学装置５１はハウジング５２内に収納され、第２図にはその蓋体を取り除いた平面図が示されている。走査光学装置５１は、半導体レーザ装置などを含んで構成される光源５３、前記光源５３から発生される光ビームを線状に集光するシリンドリカルレンズ５４、前記シリンドリカルレンズ５４によって集光されてできる光ビームの線像の近傍に偏向反射面５５ａを有する回転多面鏡５５、後述するｆθレンズ５６などを含んで構成されている。偏向反射面５５ａにおいて反射された光ビームは、ｆθレンズ５６を介して反射鏡５７に入射し、該反射鏡５７において反射されて、直円筒状の感光体５８の表面を照射する。」（明細書第８頁第１８行〜第９頁第１３行）、
(3-ｃ）「感光体５８の表面における書込み開始位置７２に対応する光経路Ｌ１よりも矢符６０方向上流側に対応する光経路Ｌ２上で、ｆθレンズ５６の第１ｆθレンズ部分６１と回転多面鏡５５の偏向反射面５５ａとの間には、反射鏡７３が配設されている。該反射鏡７３によって反射された光ビームは、集光レンズ７４を介して、フォトダイオードなどを含んで構成される受光素子７５の受光面７５ａに点結像する。」（明細書第１１頁第１０〜１８行）が、第１図および第２図と共に記載されている。
　これらの記載から、ハウジングの構成部分の一部（第２図で、受光素子７５とｆθレンズ５６との間の壁、および反射鏡７３の後ろの凸部等）が遮光部材として機能している構成が把握される。
　
刊行物４（実願昭６２−１１３６５３号（実開昭６４−１９９１４号）のマイクロフィルム）には、
(4-ａ）「本考案は、感光体に情報を含んだレーザビームを結像させ、該レーザビームに含まれた情報を記録するようにしたレーザプリンタ、デジタル複写機等の光記録装置に関し、特に、この光学記録装置に使用されるレーザビーム走査装置に関する。」（明細書第２頁第７〜１１行）、
(4-ｂ）「このレーザビーム走査装置１は、情報を含むレーザビーム２を出射する光源３と、この光源３から出射されたレーザビーム２を所定の方向へ偏向させるレーザビーム偏向装置４と、偏向されたレーザビーム２を集光するレンズ５，６とから構成された結像レンズ系７と、この結像レンズ系７を通過したレーザビーム２を下方に配設された感光体ドラム８へ反射させるミラー９，１０とから構成されており、これら構成要素のうち、レーザビーム偏向装置４，結像レンズ系７は、筐体１１内に収容配置され、ミラー９，１０は、筐体１１と一体に連設し形成された筐体１２内に配設されている。その筐体１２の底面は、蓋体１３によって覆われ光学記録装置本体１４の上面に載置固定されている。」（明細書第２頁第１６行〜第３頁第１０行）、
(4-ｃ）「一方、光源３からレーザビーム偏向装置４に入射するレーザビーム２は、レーザビーム偏向装置４のポリゴンミラーにより偏向され、」（明細書第３頁第１８〜２０行）が、第５図および第６図と共に記載されている。
　これらの記載から、筐体の構成部分の一部（第５図において、レーザビーム偏向装置４とレンズ５との間で左側から突出している壁、光源３とレンズ５，６との間の壁、および光源３とレーザビーム偏向装置が収容されている室との間の壁等）が遮光部材として機能している構成が把握される。
　
３．３　対比・判断
(1）請求項１に係る発明について
　本件請求項１に係る発明（以下、「本件発明１」という。）と刊行物１記載の発明（以下、「引用発明」という。）とを対比すると、
　引用発明における「ユニットケース」、「ポリゴンミラー」、「光学ユニット」、「ユニットケースの基板部から立ち上げられた補強用リブ」、および「光学ユニット」が、それぞれ本件発明１における「暗箱」、「回転鏡」、「光学ユニット」、「暗箱の底面から立ち上げられた補強用リブ」、および「光学ユニット」に相当し、さらに、引用発明における「上記ユニットケース内に該ユニットケースの基板部から立ち上げられた補強用リブが、光源アッセンブリから放射されたレーザビームを遮断する遮光壁に兼用される」ことと、本件発明１における「上記暗箱内に該暗箱の底面から立ち上げられた補強用リブの一部分が、上記回転鏡の反射光に基づく印字保証領域外から印字保証領域内に入射する迷光を遮断する遮光壁に兼用される」こととは、「暗箱内に該暗箱の底面から立ち上げられた補強用リブの一部分が、光を遮断する遮光壁に兼用される」点で共通するから、両者は、表現は相違するものの、
「暗箱内に光線を走査させるための回転鏡を設けた光学ユニットにおいて、上記暗箱内に該暗箱の底面から立ち上げられた補強用リブの一部分が、光を遮断する遮光壁に兼用される光学ユニット。」で一致し、以下の点で相違する。
相違点(a) ：補強用リブの一部分が、本件発明１では「回転鏡の反射光に基づく印字保証領域外から印字保証領域内に入射する迷光を遮断する」のに対し、引用発明では、そうではない点。
　
　そこで、前記相違点(a) について検討すると、
　光学装置の技術分野においては、外部からの不要な光を遮光すること、または光の通路に遮蔽部材を設けて必要以外の光を遮断すること等は、装置設計上の技術常識として通常行われていることであって（刊行物２ないし４等参照）、刊行物２には反射鏡によって走査される反射光の必要領域外の光を遮断するためにレンズの両側に遮光部材を設けたものが示されている。
　してみると、刊行物１において、光源アッセンブリから放射される光に加えて回転鏡からの反射光についても不要領域に反射される光を遮断しようとすることは自然の考えであって、何ら創作力を要することなく考えられることである。すると、その時、回転鏡による反射光の通過する扇形の領域の有効な角度範囲以外に反射される光を遮断する位置に遮光壁を設けることによって、不要な領域、即ち印字保証領域外に反射された光が迷光となって再び有効な領域、即ち印字保証領域内に入射してかぶり等の悪影響を及ぼすことを防止することも刊行物２の技術等から容易に想到できたことである。このとき、遮光壁に補強用リブを兼用することは刊行物１に記載されている。
　したがって、前記相違点(a）は、当業者が容易になし得た程度のものと認められる。
　
(2）請求項２に係る発明について
　本件請求項２に係る発明（以下、「本件発明２」という。）と引用発明とを対比すると、
　引用発明における「ユニットケース」、「ポリゴンミラー」、「トロイダルレンズ」、「光学ユニット」、「ユニットケースの基板部から立ち上げられた補強用リブ」、および「光学ユニット」が、それぞれ本件発明における「暗箱」、「回転鏡」、「ｆθレンズ」、「光学ユニット」、「暗箱の底面から立ち上げられた補強用リブ」、および「光学ユニット」に相当し、さらに、引用発明における「上記ユニットケース内に該ユニットケースの基板部から立ち上げられた補強用リブを設け、このリブが光源アッセンブリから放射されたレーザビームを遮断する遮光壁に兼用される」ことと、本件発明２における「該暗箱の底面から立ち上げられた補強用リブを設け、このリブが上記回転鏡の反射光を印字保証領域外で遮断する遮光壁に兼用される」こととは、「暗箱内に該暗箱の底面から立ち上げられた補強用リブを設け、このリブが光を遮断する遮光壁に兼用される」点で共通するから、両者は、表現は相違するものの、
「暗箱内に光線を走査させるための回転鏡及び、該回転鏡の反射光が透過するｆθレンズを設けた光学ユニットにおいて、該暗箱の底面から立ち上げられた補強用リブを設け、このリブが光を遮断する遮光壁に兼用される光学ユニット。」で一致し、以下の点で相違する。
相違点(b) ：補強用リブが、本件発明２では「ｆθレンズの両側部から暗箱の両側壁に延び、上記回転鏡の反射光を印字保証領域外で遮断する」のに対し、引用発明では、そうはなっていない点。
　
　前記相違点(b）について検討する。
　光学装置の技術分野においては、外部からの不要な光を遮光すること、または光の通路に遮蔽部材を設けて必要以外の光を遮断すること等は、装置設計上の技術常識として通常行われていることであって（刊行物２ないし４等参照）、刊行物２には反射鏡によって走査される反射光の必要領域外への光を遮断するためにレンズの両側に遮光部材を設けたものが示されている。
　また、刊行物１のユニットケースは一体的に成型された樹脂成型品で構成されており、樹脂の一体成型品においては補強用のリブは適宜設けられるものである。
　してみると、刊行物１において、光源アッセンブリから放射される光に加えて回転鏡からの反射光についても不要領域に反射される光を遮断しようとすることは自然の考えであって、何ら創作力を要することなく考えられることである。そして、その時、回転鏡による反射光の必要領域外への光を遮断するためにｆθレンズの両側部からユニットケースの両側壁まで遮光壁を設けることによって、不要な領域に反射された光がかぶり等の悪影響を及ぼすことを防止することも刊行物２の技術等から容易に想到できたことである。そして、遮光壁にユニットケースと一体的に成形された補強用リブを兼用することは刊行物１に記載されている。
　ここで、遮光壁に兼用される補強用リブの設けられるｆθレンズの両側が印字保証領域外であることは明らかである。
　したがって、前記相違点(b）は、当業者が容易になし得た程度のものと認められる。
　
３．４　むすび
　以上のとおり、本件請求項１ないし２に係る特許発明は刊行物１ないし４及び周知技術に基づいて当業者が容易に発明できたものであるから、特許法第２９条第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年８月３０日（２００２．８．３０）
【訂正の要旨】
訂正の要旨
　特許第３１７１４６８号の特許明細書を本件訂正請求書に添付された訂正明細書のとおりに訂正する。すなわち、
（１）　特許請求の範囲の請求項１の記載を
「【請求項１】　暗箱内に光線を走査させるための回転鏡を設けた光学ユニットにおいて、上記暗箱内に該暗箱の底面から立ち上げられた補強用リブの一部分が、上記回転鏡の反射光に基づく印字保証領域外から印字保証領域内に入射する迷光を遮断する遮光壁に兼用されることを特徴とする光学ユニット。」
と訂正する。
（２）　特許請求の範囲の請求項２の記載を
「【請求項２】　暗箱内に光線を走査させるための回転鏡及び、該回転鏡の反射光が透過するｆθレンズを設けた光学ユニットにおいて、上記ｆθレンズの両側部から上記暗箱の両側壁に延び、且つ該暗箱の底面から立ち上げられた補強用リブを設け、このリブが上記回転鏡の反射光を印字保証領域外で遮断する遮光壁に兼用されることを特徴とする光学ユニット。」
と訂正する。
（３）　特許明細書の段落【００１１】の記載を
「【００１１】
　【課題を解決するための手段】　本発明は、例えば図１に示すように、暗箱内に光線を走査させるための回転鏡を設けた光学ユニットにおいて、暗箱内に該暗箱の底面から立ち上げられた補強用リブの一部分が、上記回転鏡の反射光に基づく印字保証領域外から印字保証領域内に入射する迷光を遮断する遮光壁に兼用されることを特徴とする。また、暗箱内に光線を走査させるための回転鏡を設けた光学ユニットにおいて、上記の目的を達成するため、ｆθレンズの両側部から上記暗箱の両側壁に延び、且つ該暗箱の底面から立ち上げられた補強用リブを設け、このリブが上記回転鏡の反射光を印字保証領域外で遮断する遮光壁を兼用することを特徴とする。」
と訂正する。
（４）　特許明細書の段落【００１２】の記載を
「【００１２】
　【作　用】　上記のように、前の印字領域が終了してから一定時間内を経過すると発光素子が発光して回転鏡２に光線が入射され、回転鏡２から反射光が出射される。この反射光を暗箱の底面から立ち上げられた補強用リブの一部分が、上記回転鏡の反射光を印字保証領域外で遮断する遮光壁３により、反射光が暗箱１内で不測の経路を経て感光体に入射することが防止される。」
と訂正する。
（５）　特許明細書の段落【００１８】の記載中において、「早くタイミングで」の記載を「早いタイミングで」と訂正する。
（５４）【発明の名称】
光学ユニット
（５７）【特許請求の範囲】
　【請求項１】　暗箱内に光線を走査させるための回転鏡を設けた光学ユニットにおいて、
　上記暗箱内に
該暗箱の底面から立ち上げられた
基づく
から印字保証領域内に入射する迷光を
　【請求項２】　暗箱内に光線を走査させるための回転鏡及び、該回転鏡の反射光が透過するｆθレンズを設けた光学ユニットにおいて、
　上記ｆθレンズの両側部から上記暗箱の両側壁に延び、
且つ該暗箱の底面から立ち上げられた補強用
　【請求項３】　上記遮光壁の壁面に勾配をつけた請求項１又は２に記載の光学ユニット。
【発明の詳細な説明】
　【０００１】
　【産業上の利用分野】本発明は、例えばレーザプリンタ等に使用される光学ユニットに関する。
　【０００２】
　【従来の技術】従来、レーザプリンタ、電子写真式複写機、ファクシミリ等の電子写真の原理を応用したオフィスオートメーション機器においては、例えば図３に示すように、レーザ光線発射器１０１から発射した光信号をシリンドリカルレンズ１０２、固定ミラー１０３を介してポリゴンミラー１０４と呼ばれる多面体回転鏡に照射し、ポリゴンミラー１０４からの反射光を走査線上での単位長さ当たりの光量を平均化させるｆθレンズ１０５と、必要に応じて設けられる複数の固定鏡１０６〜１０８とを経て図示しない感光体に照射するように構成されている。
　【０００３】レーザ光線発射器１０１から感光体にいたるまでの光信号の経路上に配置されるポリゴンミラー１０４、ｆθレンズ１０５、固定鏡１０６〜１０８等はひとまとめにして光学系と呼ばれ、レーザ光線発射器１０１及び光学系は光ノイズや光学系への塵埃の付着を防止するために、密閉された暗箱１０９内に納められる。そして、これら暗箱１０９、レーザ光線発射器１０１及び光学系とで光学ユニット１００が構成される。
　【０００４】光学ユニット１００の暗箱１０９内には例えば図４に示すように、レーザ光線発射器１０１や光学系の各光学素子を所定の位置に保持するためのボス１９１や暗箱１０９を補強するためのリブ１９２が設けられる。このリブ１９２の高さは、光信号の走査を妨害しないように、一定の高さよりも低く設定されている。
　【０００５】ポリゴンミラー１０４の反射光の走査領域の中には、感光体上の所定の範囲内に反射光が入射する印字保証領域Ａが設定され、印字あるいは画像に対応する静電画像を感光体上に形成する光信号は、図５に示すように、ポリゴンミラー１０４の反射光がその印字保証領域Ａ内を走査する時間にだけ出力される。
　【０００６】そして、光信号の出力開始のタイミングを印字保証領域Ａの走査開始時に合わせるため、前回の光信号の出力が終了した後、一定時間が経過した時にレーザ光線発射器１０１を発光させ、図３に示す印字保証領域Ａよりもタイミングが早く走査される基準走査位置Ｂを設定し、ポリゴンミラー１０４の反射光がこの基準走査位置Ｂを通過したことをセンサ１１０で検出し、この検出と同時にレーザ光線発射器１０１の発光を停止させる一方、センサ１１０がポリゴンミラー１０４の反射光を検出してから一定時間を経過した時にレーザ光線発射器１０１が光信号の出力を開始するように構成している。
　【０００７】
　【発明が解決しようとする課題】光信号の出力停止後、次回の光信号の出力時までの間にレーザ光線発射器１０１から発射された光はポリゴンミラー１０４で反射され、暗箱１０９内で反射して感光体に入射し、感光体に不要な静電潜像を形成し、印字品質ないし画質を低下させることがある。
　【０００８】このような不測の光学経路を経て感光体に入射する光線は迷光と呼ばれ、迷光による印字品質ないし画質の低下を解消するためには、迷光の経路に障害物を設けたり、迷光の向きを変えたり、迷光を黒体に吸収させたりする必要がある。
　【０００９】しかし、設計上、迷光を発生させないように考慮されているにも関わらず発生した迷光の経路を確認することは容易ではなく、実際には、試作の段階で、想定された迷光の経路に障害物を設けたり、迷光を吸収させる表面処理をしたりした後、印刷試験をして迷光による画像が解消されたことを確認するという手順を何度も繰り返す必要があり、多大の労力と時間を必要としている。
　【００１０】本発明は、上記の事情を鑑みてなされたものであり、簡単な構成で、迷光による印字品質ないし画質の低下を確実に防止できるようにした光学ユニットを提供することを目的とする。
　【００１１】
　【課題を解決するための手段】本発明は、例えば図１に示すように、暗箱内に光線を走査させるための回転鏡を設けた光学ユニットにおいて、暗箱内に該暗箱の底面から立ち上げられた補強用リブの一部分が、上記回転鏡の反射光に基づく印字保証領域外から印字保証領域内に入射する迷光を遮断する遮光壁に兼用されることを特徴とする。また、暗箱内に光線を走査させるための回転鏡を設けた光学ユニットにおいて、上記の目的を達成するため、ｆθレンズの両側部から上記暗箱の両側壁に延び、且つ該暗箱の底面から立ち上げられた補強用リブを設け、このリブが上記回転鏡の反射光を印字保証領域外で遮断する遮光壁を兼用することを特徴とする。
　【００１２】
　【作　用】上記のように、前の印字領域が終了してから一定時間内を経過すると発光素子が発光して回転鏡２に光線が入射され、回転鏡２から反射光が出射される。この反射光を暗箱の底面から立ち上げられた補強用リブの一部分が、上記回転鏡の反射光を印字保証領域外で遮断する遮光壁３により、反射光が暗箱１内で不測の経路を経て感光体に入射することが防止される。
　【００１３】
　【実施例】本発明の一実施例に係る光学ユニットを図１及び図２に基づき説明すれば、以下の通りである。
　【００１４】暗箱１は例えばアルミニウム、合成樹脂等の保形性の高い素材で作られ、その内部にレーザ光線発射器４と、コリメートレンズ５と、シリンドリカルレンズ６と、固定ミラー７と、ポリゴンミラー２と、ｆθレンズ８と、シリンダーミラー９とを備え、レーザ光線発射器４から発射されたレーザ光線の焦点はコリメートレンズ５で図示しない感光体ドラムの表面上に合わせられる。コリメートレンズ５を透過したレーザ光線は、シリンドリカルレンズ６で縦軸方向（紙面に垂直な方向）に収束されて固定ミラー７に入射し、固定ミラー７からの反射してポリゴンミラー２に入射する。
　【００１５】ポリゴンミラー２は所定の速度で一方向（ここでは、反時計回り方向）に回転し、ポリゴンミラー２に入射したレーザ光線は、ポリゴンミラー２で反射されてその回転速度の２倍の回転速度で振られ、ｆθレンズ８を透過してシリンダーミラー９上を走査する。
　【００１６】シリンダーミラー９に入射したレーザ光線はシリンダーミラー９で反射されて、例えばガラス等の透明板で蓋されたスリット１０から暗箱１外に設けた感光体ドラムに照射される。
　【００１７】ポリゴンミラー２の反射光の走査領域の中には、感光体上の所定の範囲内に反射光が入射する印字保証領域Ａが設定され、印字あるいは画像に対応する静電画像を感光体上に形成する光信号はポリゴンミラー２の反射光がその印字保証領域Ａ内を走査する時間にだけ出力される。
　【００１８】また、暗箱１内には、印字保証領域Ａよりも早いタイミングでポリゴンミラー２の反射光が通過する位置にビーム検出ミラー１１が設けられ、また、ポリゴンミラー２から入射してこのビーム検出ミラー１１で反射されたレーザ光線を検出するセンサ１２が設けられる。
　【００１９】更に、暗箱１には、暗箱１の底面から立ち上げられた複数の補強用のリブ１３が設けられる。このリブ１３のうち、ｆθレンズ８の両側から暗箱１の両側壁１１に延びる１対のリブ１３ａでポリゴンミラー２の反射光を遮断する遮光壁３が構成される。
　【００２０】また、ｆθレンズ８からシリンダーミラー９の間には、印字保証領域Ａの両側に印字保証領域Ａの両端とほぼ平行に配置された補強用リブ１３ｂが設けられ、このリブ１３ｂでｆθレンズ８を透過して印字保証領域Ａ外に向かうレーザ光線を遮断するとともに、ｆθレンズ８を透過して印字保証領域Ａ外に向かうレーザ光線が印字保証領域Ａ内に反射されないようにしている。
　【００２１】加えて、シリンダーミラー９の両端部のｆθレンズ８側には、シリンダーミラー９で反射されて印字保証領域Ａ外に向かうレーザ光線を遮断するとともに、シリンダーミラー９で反射されて印字保証領域Ａ外に向かうレーザ光線を印字保証領域Ａ内に反射させないようにしたリブ１３ｃが設けられる。
　【００２２】上記レーザ光線発射器４は、これから発射されポリゴンミラー２で反射されたレーザ光線が印字保証領域Ａを超えると、一旦レーザ光線の出力を休止するが、僅かな時間を置いてレーザ光線の出力を再開し、ポリゴンミラー２の次の反射面で反射され、更に、ビーム検出ミラー１１で反射されたレーザ光線をセンサ２が検出した時に再びレーザ光線の出力を休止する。そして、センサ２がそのレーザ光線を検出した時から所定の時間が経過した時にレーザ光線発射器４から次の走査線の光信号の出力を再開し、ポリゴンミラー２の次の反射面で反射する光信号が印字保証領域Ａ内に収まるようにしている。
　【００２３】印字保証領域Ａ外に反射されたレーザ光線は、上記遮光壁３で遮断され、印字保証領域Ａ内に進むことはない。したがって、迷光が印字保証領域Ａ内に進んで感光体ドラムの表面に到達するおそれがなくなり、迷光による不要な印字ないし画像の形成が防止される。
　【００２４】上記の実施例において、遮光壁３（リブ１３ａ）の形状は特に限定されないが、例えば図２に示すように、遮光壁３の壁面３ａに勾配を付けることにより、遮光壁３の壁面４ａに入射したレーザ光線を印字保証領域Ａに進むおそれが無い方向に反射させることができ、これにより、迷光による印字品質ないし画質の低下を一層確実に防止することができる。
　【００２５】また、上記の実施例において、遮光壁３の表面その他暗箱１の内表面を乱反射面あるいは吸光面に形成し、印字品質ないし画質の低下を招く程度の光量の反射が発生しないようにして、迷光による印字品質ないし画質の低下を一層確実に防止するようにしてもよい。
　【００２６】
　【発明の効果】以上のように、本発明によれば、暗箱内に回転鏡の反射光を印字保証領域外で遮断する遮光壁を設けるという簡単な構成で、回転鏡の反射光が暗箱内で不測の経路を経て感光体に入射することが防止され、迷光による印字品質ないし画質の低下を防止できる。
　【００２７】本発明において、特に、暗箱内に設けた補強用リブの一部分が遮光壁に兼用される場合には、従来例の補強用リブの配置が変更されるだけであり、ほとんどコストアップせずに済み、容易に、かつ、安価に実施できる。
　【００２８】また、本発明において、上記暗箱内に回転鏡の反射光が透過するｆθレンズが設けられ、ｆθレンズの両側部から暗箱の両側壁に延びるリブを設け、このリブが遮光壁に兼用される場合には、レーザ光線が印字保証領域外から印字保証領域内に入射することを一層確実に防止することができ、迷光による印字品質ないし画質の低下を一層確実に防止できる。
【図面の簡単な説明】
　【図１】本発明の平面図である
　【図２】本発明の遮光壁の断面図である。
　【図３】従来例の平面図である。
　【図４】従来の暗箱の平面図である。
　【図５】レーザ光線発射器の作動タイミングを示すタイミングチャートである。
　【符号の説明】
　１　暗箱
　２　ポリゴンミラー
　３　遮光壁
　３ａ　壁面
　８　ｆθレンズ
　１３　リブ
　１３ａ　リブ１３の一部分